Podtech/llm-jp-corpus-v4-ja_patent huggingface dataset:
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
判定の結果に応じた発光が可能とされる複数の発光手段と、
遊技者による輝度設定操作が受付けされると、発光輝度にかかる設定値の変更を受け付ける輝度設定値受付手段と、
前記輝度設定値受付手段による設定値に基づいて発光輝度を調整可能な輝度調整手段と
を備え、
前記輝度設定値受付手段によって設定値の変更が受け付けられて該変更された設定値が反映されるかたちで前記輝度調整手段によって発光輝度が調整されるときに輝度調整確認音を可聴出力しうる遊技機であって、
当該遊技機が特定の状態になると前記複数の発光手段のうち少なくとも特定発光手段が前記輝度調整手段による調整対象から外されて異常報知発光を実行するようになっており、
前記特定発光手段による異常報知発光が実行されている発光報知期間と、前記特定発光手段による異常報知発光が実行されていない通常期間とのいずれにおいても、遊技者による輝度設定操作によって輝度調整確認音の可聴出力が可能とされ、
前記発光報知期間には、第１報知期間と、該第１報知期間が終了してから当該発光報知期間が終了されるまでの第２報知期間とが含まれており、当該発光報知期間のうち前記第２報知期間においては遊技者による輝度設定操作によって輝度調整確認音が可聴出力されうるが、当該発光報知期間のうち前記第１報知期間においては輝度調整確認音が可聴出力されることはないようになっており、
さらに、
演出動作しうる可動装飾体と、
前記判定の結果に基づく図柄変動に対応する復元時期が到来したとき、正常状態にない可動装飾体に対して復元動作を行わせうる復元実行手段と
を備え、
さらに、
前記可動装飾体は、発光可能に設けられるものであり、該可動装飾体が正常状態にないとき、該可動装飾体に対して演出実行のための駆動力を付与することはないが該可動装飾体を演出発光させることは可能である
ことを特徴とする遊技機。
【請求項２】
判定の結果に応じた発光が可能とされる複数の発光手段と、
遊技者による輝度設定操作が受付けされると、発光輝度にかかる設定値の変更を受け付ける輝度設定値受付手段と、
前記輝度設定値受付手段による設定値に基づいて発光輝度を調整可能な輝度調整手段と
遊技者による音量設定操作が受付けされると、音量にかかる設定値の変更を受け付ける音量設定値受付手段と、
前記音量設定値受付手段による設定値に基づいて音量を調整可能な音量調整手段と
を備え、
前記輝度設定値受付手段によって設定値の変更が受け付けられて該変更された設定値が反映されるかたちで前記輝度調整手段によって発光輝度が調整されるときに輝度調整確認音を可聴出力しうるとともに、前記音量設定値受付手段によって設定値の変更が受け付けられて該変更された設定値が反映されるかたちで前記音量調整手段によって音量が調整されるときに音量調整確認音を可聴出力しうる遊技機であって、
当該遊技機が特定の状態になると前記複数の発光手段のうち少なくとも特定発光手段が前記輝度調整手段による調整対象から外されて異常報知発光を実行するようになっており、
前記特定発光手段による異常報知発光が実行されている発光報知期間と、前記特定発光手段による異常報知発光が実行されていない通常期間とのいずれにおいても、遊技者による音量設定操作によって音量調整確認音の可聴出力が可能とされ、
前記発光報知期間には、第１報知期間と、該第１報知期間が終了してから当該発光報知期間が終了されるまでの第２報知期間とが含まれており、当該発光報知期間のうち前記第２報知期間においては遊技者による音量設定操作によって音量調整確認音が可聴出力されうるが、当該発光報知期間のうち前記第１報知期間においては音量調整確認音が可聴出力されることはないようになっており、
さらに、
演出動作しうる可動装飾体と、
前記判定の結果に基づく図柄変動に対応する復元時期が到来したとき、正常状態にない可動装飾体に対して復元動作を行わせうる復元実行手段と
を備え、
さらに、
前記可動装飾体は、発光可能に設けられるものであり、該可動装飾体が正常状態にないとき、該可動装飾体に対して演出実行のための駆動力を付与することはないが該可動装飾体を演出発光させることは可能である
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定の結果に応じた発光が可能とされる複数の発光手段と、
遊技者による輝度設定操作が受付けされると、発光輝度にかかる設定値の変更を受け付ける輝度設定値受付手段と、
前記輝度設定値受付手段による設定値に基づいて発光輝度を調整可能な輝度調整手段と
を備え、
前記輝度設定値受付手段によって設定値の変更が受け付けられて該変更された設定値が反映されるかたちで前記輝度調整手段によって発光輝度が調整されるときに輝度調整確認音を可聴出力しうる遊技機であって、
当該遊技機が特定の状態になると前記複数の発光手段のうち少なくとも特定発光手段が前記輝度調整手段による調整対象から外されて異常報知発光を実行するようになっており、
前記特定発光手段による異常報知発光が実行されている発光報知期間と、前記特定発光手段による異常報知発光が実行されていない通常期間とのいずれにおいても、遊技者による輝度設定操作によって輝度調整確認音の可聴出力が可能とされ、
前記発光報知期間には、第１報知期間と、該第１報知期間が終了してから当該発光報知期間が終了されるまでの第２報知期間とが含まれており、当該発光報知期間のうち前記第２報知期間においては遊技者による輝度設定操作によって輝度調整確認音が可聴出力されうるが、当該発光報知期間のうち前記第１報知期間においては輝度調整確認音が可聴出力されることはないようになっており、
さらに、
演出動作しうる可動装飾体と、
前記判定の結果に基づく図柄変動に対応する復元時期が到来したとき、正常状態にない可動装飾体に対して復元動作を行わせうる復元実行手段と
を備え、
さらに、
前記可動装飾体は、発光可能に設けられるものであり、該可動装飾体が正常状態にないとき、該可動装飾体に対して演出実行のための駆動力を付与することはないが該可動装飾体を演出発光させることは可能である
ことを特徴とする遊技機。
【手続補正４】
【補正対象書類名】明細書
【補正対象項目名】０００８
【補正方法】削除
【補正の内容】
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域が形成される遊技盤と、
前記遊技盤が装着される本体枠と、
前記本体枠に開閉可能に設けられる扉枠と、
前記扉枠に設けられ、前記遊技領域で遊技を行うための遊技媒体が貯留される上皿本体と、
前記上皿本体の下方に設けられ、遊技者の手が届かない内部空間と、
前記扉枠に設けられ、所定形状の底壁部と所定高さの立壁部により形成される貯留領域を有する下皿本体と、
前記扉枠の開閉状態にかかわらず前記下皿本体と一体化される下皿カバー部と
を備え、
前記下皿カバー部は、前記下皿本体における貯留領域より上方の空間と前記内部空間との境界となる境界壁を備える
ことを特徴とする遊技機。
【手続補正２】
【補正対象書類名】明細書
【補正対象項目名】０００３
【補正方法】変更
【補正の内容】
【０００３】
この種の遊技機は、正面視における遊技領域の下方に、遊技領域内に打込むための遊技媒体が貯留される上皿と、上皿の下側に配置され遊技媒体が貯留される下皿とを備えている。（例えば、特許文献１）
【手続補正３】
【補正対象書類名】明細書
【補正対象項目名】０００４
【補正方法】変更
【補正の内容】
【０００４】
しかしながら、このような遊技媒体を貯留する皿を備える遊技機においては、皿としての機能を実現するうえでより好適なものが求められている。
【手続補正４】
【補正対象書類名】明細書
【補正対象項目名】０００６
【補正方法】変更
【補正の内容】
【０００６】
本発明は、遊技機においてより好適な下皿の構成を提案するものである。
【手続補正５】
【補正対象書類名】明細書
【補正対象項目名】０００７
【補正方法】変更
【補正の内容】
【０００７】
本発明は、
所定の遊技が行われる遊技領域が形成される遊技盤と、
前記遊技盤が装着される本体枠と、
前記本体枠に開閉可能に設けられる扉枠と、
前記扉枠に設けられ、前記遊技領域で遊技を行うための遊技媒体が貯留される上皿本体と、
前記上皿本体の下方に設けられ、遊技者の手が届かない内部空間と、
前記扉枠に設けられ、所定形状の底壁部と所定高さの立壁部により形成される貯留領域を有する下皿本体と、
前記扉枠の開閉状態にかかわらず前記下皿本体と一体化される下皿カバー部と
を備え、
前記下皿カバー部は、前記下皿本体における貯留領域より上方の空間と前記内部空間との境界となる境界壁を備える
ことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
本発明によれば、より好適な下皿を提供することができる。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
所定遊技状態に移行させる所定遊技状態移行手段と、
遊技状態が前記所定遊技状態であることに基づいて、所定値を付与するか否かを決定する決定手段と、
前記決定手段が前記所定値を付与すると決定した場合、前記所定値を累積記憶可能な所定値記憶手段と、
前記決定手段が前記所定値を付与すると決定した場合、少なくとも決定情報が記憶されていない状況であれば当該決定情報を記憶する決定情報記憶手段と、
前記所定値記憶手段の値が初期値以外の値である場合、前記所定遊技状態の終了後に特別特典を付与する特別特典付与手段と、
前記特別特典付与手段が前記特別特典を付与する場合、前記所定値記憶手段の値が前記初期値に向かうように変更する変更手段と、
前記特別特典付与手段が前記特別特典を付与する場合、前記決定情報を消去する消去手段と、
前記特別特典が付与されることを示唆する補助演出を実行可能な補助演出実行手段と、
前記所定遊技状態が終了する遊技回において前記決定情報記憶手段に前記決定情報が記憶されているか否かを判定する記憶判定手段と、
前記記憶判定手段の判定結果に基づいて、前記補助演出の演出内容を決定する演出内容決定手段と
を備え、
前記演出内容決定手段は、前記所定遊技状態が終了した遊技回において前記決定情報記憶手段に前記決定情報が記憶されている場合、第１補助演出を実行すると決定し、前記所定遊技状態が終了した遊技回において前記決定情報記憶手段に前記決定情報が記憶されていない場合、第２補助演出を実行すると決定することを特徴とする遊技機。
【請求項２】
前記遊技機はスロットマシンであることを特徴とする請求項１に記載の遊技機。
【手続補正２】
【補正対象書類名】明細書
【補正対象項目名】０００８
【補正方法】変更
【補正の内容】
【０００８】
請求項１に記載の発明では、複数種の絵柄を循環表示させる循環表示手段と、前記絵柄の循環表示を開始させるべく操作される開始操作手段と、役の抽選を行う抽選手段と、前記絵柄の循環表示を停止させるべく操作される停止操作手段と、前記役の抽選に当選した当選役と対応する当選絵柄が有効位置に所定の組合せを形成して停止したことに基づいて、入賞成立として遊技者に特典を付与する特典付与手段とを備えた遊技機において、所定遊技状態に移行させる所定遊技状態移行手段と、遊技状態が前記所定遊技状態であることに基づいて、所定値を付与するか否かを決定する決定手段と、前記決定手段が前記所定値を付与すると決定した場合、前記所定値を累積記憶可能な所定値記憶手段と、前記決定手段が前記所定値を付与すると決定した場合、少なくとも決定情報が記憶されていない状況であれば当該決定情報を記憶する決定情報記憶手段と、前記所定値記憶手段の値が初期値以外の値である場合、前記所定遊技状態の終了後に特別特典を付与する特別特典付与手段と、前記特別特典付与手段が前記特別特典を付与する場合、前記所定値記憶手段の値が前記初期値に向かうように変更する変更手段と、前記特別特典付与手段が前記特別特典を付与する場合、前記決定情報を消去する消去手段と、前記特別特典が付与されることを示唆する補助演出を実行可能な補助演出実行手段と、前記所定遊技状態が終了する遊技回において前記決定情報記憶手段に前記決定情報が記憶されているか否かを判定する記憶判定手段と、前記記憶判定手段の判定結果に基づいて、前記補助演出の演出内容を決定する演出内容決定手段とを備え、前記演出内容決定手段は、前記所定遊技状態が終了した遊技回において前記決定情報記憶手段に前記決定情報が記憶されている場合、第１補助演出を実行すると決定し、前記所定遊技状態が終了した遊技回において前記決定情報記憶手段に前記決定情報が記憶されていない場合、第２補助演出を実行すると決定することを特徴とする。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
始動条件が成立するとその後特別図柄の変動表示を開始させ、当選条件が成立しているか否かを判定し、所定の変動時間が経過すると前記特別図柄の変動表示を停止させ、前記当選条件が成立している場合には通常遊技状態から遊技者に有利な特別遊技状態に移行させる遊技制御手段と、
前記始動条件が成立すると、その後演出条件が成立しているか否かを判定し、前記演出条件が成立している場合、前記遊技制御手段の制御によって前記当選条件の成立状況に応じた演出動作を制御する演出制御手段と、
前記演出制御手段の制御によって前記演出動作の一部として表示動作を実行する表示手段と、
を備え、
前記演出制御手段は、
前記表示手段を用いた表示動作を実行する際に生成した描画データのうち一部の描画データをその後の表示動作を実行する際に再利用し、前記その後の表示動作として、前記一部の描画データに基づく特定の素材画像を背景又は前景として複数配置させた表示態様の映像を前記表示手段に表示させるものであり、
さらに、前記一部の描画データは、前記特別図柄の変動表示の開始から終了に至る１回の変動表示の中で再利用される場合と、前記１回の変動表示を超えて保持されて次回の変動表示にて再利用される場合とがある
ことを特徴とする遊技機。
【手続補正２】
【補正対象書類名】明細書
【補正対象項目名】０００２
【補正方法】変更
【補正の内容】
【０００２】
近年の遊技機においては、高性能のグラフィックチップが搭載されており、様々な表示態様の映像を次々と表示させながら遊技の進行に応じた演出表示を実現している（例えば、特許文献１）。
【手続補正３】
【補正対象書類名】明細書
【補正対象項目名】０００４
【補正方法】変更
【補正の内容】
【０００４】
ところで、近年の遊技機では、遊技の進行に応じて遊技者に有利な状態に至りそうであることを表すのに、表示態様が互いに類似する多数の素材画像を連続的に表した特定映像を表示させる場合がある。このような近年のパチンコ機では、当該特定映像を形成するのに多数の素材画像を配列させる描画処理を当該特定映像ごとに毎回実行しなければならないため、描画処理の負担が重くなりがちであった。
【手続補正４】
【補正対象書類名】明細書
【補正対象項目名】０００５
【補正方法】変更
【補正の内容】
【０００５】
そこで、本発明は、表示態様が互いに類似する複数の素材画像を背景又は前景として配列させた特定映像を形成させる描画処理を効率良く実施することを目的とする。
【手続補正５】
【補正対象書類名】明細書
【補正対象項目名】０００６
【補正方法】変更
【補正の内容】
【０００６】
上述した目的を達成するため、本発明は、遊技機において、
始動条件が成立するとその後特別図柄の変動表示を開始させ、当選条件が成立しているか否かを判定し、所定の変動時間が経過すると前記特別図柄の変動表示を停止させ、前記当選条件が成立している場合には通常遊技状態から遊技者に有利な特別遊技状態に移行させる遊技制御手段と、
前記始動条件が成立すると、その後演出条件が成立しているか否かを判定し、前記演出条件が成立している場合、前記遊技制御手段の制御によって前記当選条件の成立状況に応じた演出動作を制御する演出制御手段と、
前記演出制御手段の制御によって前記演出動作の一部として表示動作を実行する表示手段と、
を備え、
前記演出制御手段は、
前記表示手段を用いた表示動作を実行する際に生成した描画データのうち一部の描画データをその後の表示動作を実行する際に再利用し、前記その後の表示動作として、前記一部の描画データに基づく特定の素材画像を背景又は前景として複数配置させた表示態様の映像を前記表示手段に表示させるものであり、
さらに、前記一部の描画データは、前記特別図柄の変動表示の開始から終了に至る１回の変動表示の中で再利用される場合と、前記１回の変動表示を超えて保持されて次回の変動表示にて再利用される場合とがあることを特徴とする
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明に係る遊技機によれば、表示態様が互いに類似する複数の素材画像を背景又は前景として配列させた特定映像を形成させる描画処理を効率良く実施することができる。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
それぞれが複数種の識別図柄を含む複数の識別図柄群を変動表示し、各識別図柄群から選択されて停止した識別図柄の組み合わせにより当否判定結果を報知する報知手段と、
前記識別図柄群の変動が停止または擬似停止したときにおける識別図柄の組み合わせが所定の組み合わせとなった場合、当該停止または擬似停止後、再び前記識別図柄群が変動を開始する単位演出の発生回数によって当否判定結果が当たりとなる蓋然性を示唆する連続演出を実行する連続演出実行手段と、
を備え、
前記単位演出が発生した場合、前記所定の組み合わせを構成する少なくとも一部の識別図柄に対応する演出画像が表示されることを特徴とする遊技機。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
表示装置に特定画像が表示される特定演出と、
発生することで、当否判定結果が当たりとなる蓋然性が高まったことを示唆する複数種の好機演出と、
を実行することが可能な演出実行手段を備え、
ある当否判定結果を報知する一連の演出において、前記特定演出が発生した場合、当否判定結果の報知が完了するまでに前記複数種の好機演出のうちの少なくとも一つの演出が発生するように構成されており、
前記複数種の好機演出のうちの少なくとも一つの演出が発生することを契機として、前記特定画像が消去されるまたは別の態様に変化することを特徴とする遊技機。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
開閉可能に形成される前面枠と、その前面枠の前面に配設されると共に球を貯留するための貯留領域を形成する貯留部材と、その貯留部材の貯留領域へ球を流入させる流入口とを備えた遊技機において、
前記流入口側の一端から他端へ向けて球を送球し前記貯留領域へ球が流入可能な通路として前記貯留領域の前記流入口が形成される側の側面に形成され、前記一端が前記流入口の下面の側方に連なる連通路を備え、
前記貯留領域の底面が前記流入口の下面よりも下方に位置し、
前記流入口の下面の前方側は、前記貯留領域の前記流入口が形成される側の側面を介して前記貯留領域の底面に連なり、前記流入口の下面の前方側から流下された球が前記貯留領域へ流下されるように形成されることを特徴とする遊技機。
【請求項２】
基板ボックスを備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、開閉可能に形成される前面枠と、その前面枠の前面に配設されると共に球を貯留するための貯留領域を形成する貯留部材と、その貯留部材の貯留領域へ球を流入させる流入口とを備えたものであり、前記流入口側の一端から他端へ向けて球を送球し前記貯留領域へ球が流入可能な通路として前記貯留領域の前記流入口が形成される側の側面に形成され、前記一端が前記流入口の下面の側方に連なる連通路を備え、前記貯留領域の底面が前記流入口の下面よりも下方に位置し、前記流入口の下面の前方側は、前記貯留領域の前記流入口が形成される側の側面を介して前記貯留領域の底面に連なり、前記流入口の下面の前方側から流下された球が前記貯留領域へ流下されるように形成される。
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
複数の製造動作によって飲料を製造可能な飲料製造装置であって、
客によって注文されたメニューに対応する前記複数の製造動作を制御可能な制御ユニットを備え、
前記制御ユニットは、客によって注文されたメニューの店員による修正を受け付け可能であり、
前記制御ユニットは、修正されたメニューに対応する前記複数の製造動作を制御可能である、
ことを特徴とする飲料製造装置。
【請求項２】
請求項１に記載の飲料製造装置であって、
前記制御ユニットは、客によって注文されたメニューに対応する制御パラメータに応じた前記複数の製造動作を制御可能であり、
前記「客によって注文されたメニューの店員による修正」とは、「客によって注文されたメニューに対応する制御パラメータの店員による修正」のことであり、
前記「修正されたメニューに対応する前記複数の製造動作」とは、「修正された制御パラメータに応じた前記複数の製造動作」のことである、
ことを特徴とする飲料製造装置。
【請求項３】
請求項１又は請求項２に記載の飲料製造装置であって、
前記飲料とは、焙煎コーヒー豆を原料としたコーヒー飲料である、
ことを特徴とする飲料製造装置。
【請求項４】
複数の製造動作によって飲料を製造可能な飲料製造装置の制御方法であって、
客によって注文されたメニューに対応する前記複数の製造動作を制御する制御工程を備え、
前記制御工程では、
客によって注文されたメニューの店員による修正を受け付け可能であり、
修正されたメニューに対応する前記複数の製造動作を制御可能である、
ことを特徴とする制御方法。
【請求項５】
請求項４に記載の制御方法であって、
前記制御工程は、客によって注文されたメニューに対応する制御パラメータに応じた前記複数の製造動作を制御する工程
であり、
前記「客によって注文されたメニューの店員による修正」とは、「客によって注文されたメニューに対応する制御パラメータの店員による修正」のことであり、
前記「修正されたメニューに対応する前記複数の製造動作」とは、「修正された制御パラメータに応じた前記複数の製造動作」のことである、
ことを特徴とする制御方法。
【請求項６】
請求項４又は請求項５に記載の制御方法であって、
前記飲料とは、焙煎コーヒー豆を原料としたコーヒー飲料である、
ことを特徴とする制御方法。
【手続補正２】
【補正対象書類名】明細書
【補正対象項目名】０００４
【補正方法】変更
【補正の内容】
【０００４】
一部の飲料（例えば、コーヒー飲料）のように嗜好性が強い飲料においては、味、香り等、飲料の評価軸が多種類に及び、飲料の提供を受けるユーザが好みの種類の飲料を選択することが必ずしも容易ではない。一方、オペレータが製造動作を調整できれば有利である。
【手続補正３】
【補正対象書類名】明細書
【補正対象項目名】０００５
【補正方法】変更
【補正の内容】
【０００５】
本発明の目的は、オペレータが製造動作を調整可能な飲料製造装置を提供することにある。
【手続補正４】
【補正対象書類名】明細書
【補正対象項目名】０００６
【補正方法】変更
【補正の内容】
【０００６】
本発明によれば、
複数の製造動作によって飲料を製造可能な飲料製造装置であって、
客によって注文されたメニューに対応する前記複数の製造動作を制御可能な制御ユニットを備え、
前記制御ユニットは、客によって注文されたメニューの店員による修正を受け付け可能であり、
前記制御ユニットは、修正されたメニューに対応する前記複数の製造動作を制御可能である、
ことを特徴とする飲料製造装置が提供される。
また、本発明によれば、
複数の製造動作によって飲料を製造可能な飲料製造装置の制御方法であって、
客によって注文されたメニューに対応する前記複数の製造動作を制御する制御工程を備え、
前記制御工程では、
客によって注文されたメニューの店員による修正を受け付け可能であり、
修正されたメニューに対応する前記複数の製造動作を制御可能である、
ことを特徴とする制御方法が提供される。
【手続補正５】
【補正対象書類名】明細書
【補正対象項目名】０００７
【補正方法】変更
【補正の内容】
【０００７】
本発明によれば、オペレータが製造動作を調整可能な飲料製造装置を提供することができる。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
遊技を実行可能な遊技機であって、
遊技者が操作可能な操作手段に対する操作を要求する操作要求演出を実行する操作要求演出実行手段と、
前記操作要求演出の実行中における操作状況に応じて特定の条件が成立した場合に、演出態様を更新させる操作対応演出を実行する操作対応演出実行手段と、
所定のエラー表示を行うことによってエラー報知を実行可能なエラー報知手段と、
を備え、
前記操作要求演出実行手段は、
操作が成されるまで所定態様で前記操作要求演出を実行し、操作が成されたことに応じて前記所定態様よりも遊技者が認識し難い特定態様で前記操作要求演出を実行し、
前記エラー報知を妨げ得る前記所定態様で前記操作要求演出を実行しているときに前記エラー報知が実行される場合、該エラー報知を妨げないように前記特定態様で前記操作要求演出を実行可能である、
ことを特徴とする遊技機。
【手続補正２】
【補正対象書類名】明細書
【補正対象項目名】０００５
【補正方法】変更
【補正の内容】
【０００５】
（１）上記目的を達成するため、本発明の一態様である遊技機は、遊技を実行可能な遊技機（例えば、パチンコ遊技機１等）であって、遊技者が操作可能な操作手段（例えば、プッシュボタン３１Ｂ等）に対する操作（例えば、長押し操作、連打操作等）を要求する操作要求演出（例えば、ボタン画像２２１やボタン画像２２１’の表示）を実行する操作要求演出実行手段（例えば、演出制御用ＣＰＵ１２０によるステップＳ８０２の処理等）と、操作要求演出の実行中における操作状況に応じて特定の条件（例えば、プッシュボタン３１Ｂの長押し操作の続行時間（継続時間）が所定時間を超える毎に成立する条件、プッシュボタン３１Ｂの連打操作の連打回数が所定回数を超える毎に成立する条件等）が成立した場合に、演出態様を更新させる操作対応演出（例えば、特定の条件が成立する毎に人物画像２１１を取り巻く炎の大きさを変化させる演出等）を実行する操作対応演出実行手段（例えば、演出制御用ＣＰＵ１２０によって実行される、長押し操作の続行時間や連打操作の連打回数に応じた、上述の、炎の大きさを変化させる演出処理等）と、所定のエラー表示を行うことによってエラー報知を実行可能なエラー報知手段と、を備え、操作要求演出実行手段は、操作が成されるまで所定態様（例えば、ボタン画像２２１を人物画像２１１に重畳して表示する態様等）で操作要求演出を実行し、操作が成されたことに応じて所定態様よりも遊技者が認識し難い特定態様（例えば、ボタン画像２２１を人物画像２１１に重畳しない位置に表示する態様等）で操作要求演出を実行し、エラー報知を妨げ得る所定態様で操作要求演出を実行しているときにエラー報知が実行される場合、エラー報知を妨げないように特定態様で操作要求演出を実行可能である。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
被検者のある測定部位を圧迫する血圧測定用のカフと，
前記被検者の血流のある生体組織に光を照射して透過光又は反射光の光情報を検出するプローブと，
前記被検者の心音を電気信号に変換するマイクロフォンを備えたチェストピースと，
前記被検者の皮膚に接触して身体電位を検出する複数の電極と，
装置本体と，を備え，
前記装置本体は，
前記カフ内のカフ圧を加圧及び減圧することによって前記被検者の血圧を測定し，
前記プローブが検出した光情報に基づいて前記被検者の血中酸素飽和度及び脈拍の少なくともいずれか一方を測定し，
前記複数の電極が検出した身体電位に基づいて前記被検者の心電図を測定するものであり，
前記複数の電極の少なくとも一つは，前記カフに設けられ，
前記複数の電極の少なくとも一つは，前記プローブ内の前記被検者の皮膚に接触する部分に設けられ，
前記複数の電極の少なくとも一つは，前記チェストピースの前記被検者の皮膚に接触する部分に設けられており，
前記プローブと前記チェストピースは着脱自在に組み合わされている
バイタルサイン測定装置。
【請求項２】
体温計をさらに含む
請求項１に記載のバイタルサイン測定装置。
【請求項３】
前記装置本体は，前記心電図から前記被検者の心臓の収縮期及び拡張期の両方又はいずれか一方の時間帯を抽出するとともに，前記マイクロフォンによって取得した心音信号から前記抽出した時間帯において心音中に心雑音が存在するかどうかを判定する
請求項１に記載のバイタルサイン測定装置。
【請求項４】
前記装置本体は，前記心電図から前記被検者の心臓の収縮期及び拡張期の時間帯を区別するとともに，前記収縮期及び前記拡張期における被検者の血圧の差を求める
請求項３に記載のバイタルサイン測定装置。
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
無線電力伝送システムであって、
無線電力を送信する送信共振器からの送信済み無線電力を受信するように構成された、埋め込み式受信共振器と、
前記埋め込み式受信共振器に接続され、前記埋め込み式受信共振器から電力を受信するように構成された、埋め込み式医療デバイスと、
前記埋め込み式受信共振器及び前記埋め込み式医療デバイスの一方の内部に含められたコントローラであって、前記埋め込み式医療デバイスの動作パラメータを変更し、前記埋め込み式医療デバイスの音波シグネチャの変化をもたらすように構成された、該コントローラと、
聴取デバイスを含む外部のユーザインタフェースであって、前記聴取デバイスを用いて前記音波シグネチャの変化を検出し、前記音波シグネチャの前記変化に基づいて、前記埋め込み式医療デバイスの状態を決定するように構成された、該外部のユーザインタフェースとを備えることを特徴とするシステム。
【請求項２】
請求項１に記載のシステムであって、
前記外部のユーザインタフェースが、ディスプレイを更に備えることを特徴とするシステム。
【請求項３】
請求項１に記載のシステムであって、
前記外部のユーザインタフェースが、着用可能であることを特徴とするシステム。
【請求項４】
請求項３に記載のシステムであって、
前記外部のユーザインタフェースが、リストストラップに貼り付けられることを特徴とするシステム。
【請求項５】
請求項３に記載のシステムであって、
前記外部のユーザインタフェースが、ベルトに貼り付けられることを特徴とするシステム。
【請求項６】
請求項１に記載のシステムであって、
前記埋め込み式医療デバイスの前記状態が、前記埋め込み式医療デバイスの動作パラメータを含むことを特徴とするシステム。
【請求項７】
請求項１に記載のシステムであって、
前記埋め込み式医療デバイスの前記状態が、更新された状態を含むことを特徴とするシステム。
【請求項８】
請求項１に記載のシステムであって、
前記埋め込み式医療デバイスの前記状態が、警報を含むことを特徴とするシステム。
【請求項９】
請求項１に記載のシステムであって、
前記埋め込み式医療デバイスが、左室補助デバイスを含むことを特徴とするシステム。
【請求項１０】
請求項９に記載のシステムであって、
前記音波シグネチャの前記変化は、前記左室補助デバイスのポンプの速度の変化を含むことを特徴とするシステム。
【請求項１１】
請求項１に記載のシステムであって、
前記音波シグネチャの前記変化は、前記埋め込み式医療デバイスのドライブ信号に導入された高調波を含むことを特徴とするシステム。
【請求項１２】
請求項１に記載のシステムであって、
前記聴取デバイスが、マイクロフォンを含むことを特徴とするシステム。
【請求項１３】
無線電力伝送システムの作動方法であって、
埋め込み式受信共振器において、外部の送信共振器から送信された無線電力を受信すること、
受信された電力を用いて前記埋め込み式受信共振器に接続された埋め込み式医療デバイスに電力供給すること、
前記埋め込み式医療デバイスの音波シグネチャの変化をもたらすべく前記埋め込み式医療デバイスの動作パラメータを変更すること、
外部のユーザインタフェースの聴取デバイスを用いて前記音波シグネチャの前記変化を検出すること、及び
前記外部のユーザインタフェースを用いて前記音波シグネチャの前記変化に基づいて、前記埋め込み式医療デバイスの状態を決定することを含むことを特徴とする作動方法。
【請求項１４】
請求項１３に記載の作動方法であって、
決定された前記埋め込み式医療デバイスの前記状態に関する情報を、前記外部のユーザインタフェース上に表示することを更に含むことを特徴とする作動方法。
【手続補正書】
【提出日】平成31年4月18日(2019.4.18)
【手続補正１】
【補正対象書類名】明細書
【補正対象項目名】０００９
【補正方法】変更
【補正の内容】
【０００９】
上記の目的を達成するため、請求項１の発明は、気泡を含む気泡除去対象液体から気泡を分離除去する気泡分離除去装置であって、気泡を含む気泡除去対象液体を流入する流入口と、前記流入口から流入された前記気泡除去対象液体の旋回流を形成する旋回流形成部と、前記旋回流形成部で形成された旋回流の下流側に向かって内径が漸次小となる第１の流体室と、前記第１の流体室の中心軸上に設けられ、一端が該第１の流体室内に突出して先端が開口する内径が第１の径からなる放気管と、前記第１の流体室の下流側に設けられ、内径が前記第１の径より大きい第２の径からなる第２の流体室と、前記放気管の前記第１の流体室への突出部周縁に形成され、外径が前記旋回流の下流側に向かって漸次径が小さくなるテーパー壁と、を具備し、前記第２の流体室から気泡が除去された第１の液体を流出し、前記放気管から気泡を含む第２の液体を排出することを特徴とする。
【手続補正２】
【補正対象書類名】明細書
【補正対象項目名】００１３
【補正方法】変更
【補正の内容】
【００１３】
この発明によれば、気泡を含む気泡除去対象液体から気泡を分離除去する気泡分離除去装置であって、気泡を含む気泡除去対象液体を流入する流入口と、前記流入口から流入された前記気泡除去対象液体の旋回流を形成する旋回流形成部と、前記旋回流形成部で形成された旋回流の下流側に向かって内径が漸次小となる第１の流体室と、前記第１の流体室の中心軸上に設けられ、一端が該第１の流体室内に突出して先端が開口する内径が第１の径からなる放気管と、前記第１の流体室の下流側に設けられ、内径が前記第１の径より大きい第２の径からなる第２の流体室と、前記放気管の前記第１の流体室への突出部周縁に形成され、外径が前記旋回流の下流側に向かって漸次径が小さくなるテーパー壁と、を具備し、前記第２の流体室から気泡が除去された第１の液体を流出し、前記放気管から気泡を含む第２の液体を排出するように構成したので、流体中に含まれる気泡を有効かつ効率よく除去することができ、かつ圧力損失も小さいという効果を奏する。
【手続補正３】
【補正対象書類名】特許請求の範囲
【補正対象項目名】全文
【補正方法】変更
【補正の内容】
【特許請求の範囲】
【請求項１】
気泡を含む気泡除去対象液体から気泡を分離除去する気泡分離除去装置であって、
気泡を含む気泡除去対象液体を流入する流入口と、
前記流入口から流入された前記気泡除去対象液体の旋回流を形成する旋回流形成部と、
前記旋回流形成部で形成された旋回流の下流側に向かって内径が漸次小となる第１の流体室と、
前記第１の流体室の中心軸上に設けられ、一端が該第１の流体室内に突出して先端が開口する内径が第１の径からなる放気管と、
前記第１の流体室の下流側に設けられ、内径が前記第１の径より大きい第２の径からなる第２の流体室と、
前記放気管の前記第１の流体室への突出部周縁に形成され、外径が前記旋回流の下流側に向かって漸次径が小さくなるテーパー壁と、
を具備し、
前記第２の流体室から気泡が除去された第１の液体を流出し、前記放気管から気泡を含む第２の液体を排出することを特徴とする気泡分離除去装置。
【請求項２】
前記旋回流形成部は、
前記流入口から流入された気泡除去対象液体を流す環流路と、
前記環流路を流れる前記気泡除去対象液体を前記第１の流体室の内周壁の少なくとも一か所から接線方向に吐出する吐出口と、
を具備することを特徴とする請求項１に記載の気泡分離除去装置。
【請求項３】
前記流入口、前記旋回流形成部及び前記第１の流体室を含み、前記第２の流体室側に第１のフランジ、前記放気管側に第２のフランジが形成された第１のユニットと、前記第２の流体室を含み、前記第１のユニット側に前記第１のフランジに整合する第３のフランジが形成された第２のユニットと、前記放気管を含み、前記第１のユニット側に前記第２のフランジに整合する第４のフランジが形成された第３のユニットを有し、
前記第１のユニットの前記第１のフランジと前記第２のユニットの前記第３のフランジとの間及び前記第１のユニットの前記第２のフランジと前記第３のユニットの前記第４のフランジとの間が着脱自在に接続されていることを特徴とする請求項１又は２に記載の気泡分離除去装置。
【請求項４】
前記第１のユニットの前記第１のフランジと前記第２のユニットの前記第３のフランジとの間及び前記第１のユニットの前記第２のフランジと前記第３のユニットの前記第４のフランジとの間が、ヘルールクランプで接続されていることを特徴とする請求項３に記載の気泡分離除去装置。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
球体の中心に、前記球体よりも質量の重い球状のコアを設け、
前記コアの外径を、前記球体の外径の１／２．４〜１／２．５に設定したことを特徴とするトレーニングボール。
【請求項２】
前記球体の直径は、７２．９ｍｍ〜７４．８ｍｍであり、
前記コアの直径は、３０ｍｍである
ことを特徴とする請求項１に記載のトレーニングボール。
【請求項３】
前記球体の重量は、１０．２ｇであり、
前記コアの重量は、２６５．７ｇである
ことを特徴とする請求項２に記載のトレーニングボール。
【請求項４】
前記球体は、多孔状の素材により形成されており、
前記コアは、金属により形成されている
ことを特徴とする請求項２又は請求項３に記載のトレーニングボール。
【請求項５】
前記コアは、ステンレス材により形成されている
ことを特徴とする請求項４に記載のトレーニングボール。
【請求項６】
透過可能な球体の中心に、前記球体の外部から視認可能な球状のコアを設け、
前記球体の直径は、７２．９ｍｍ〜７４．８ｍｍであり、
前記コアの直径は、２０ｍｍ〜３０ｍｍである
ことを特徴とするトレーニングボール。
【請求項７】
前記球体は、野球ボールを模した縫い目を有し、
最も縫い目の間の狭い間隔を前記球体の径方向外側からみたとき、
最も間隔の狭い縫い目の間に収まるように、前記コアが配置されていることを特徴とする請求項６に記載のトレーニングボール。
【請求項８】
透過可能な球体の中心に、前記球体の外部から視認可能な球状のコアを設け、
前記コアの外径を、前記球体の外径の１／５．５〜１／３に設定したことを特徴とするトレーニングボール。
【請求項９】
前記球体の直径は、４２．６７ｍｍ〜４２．８ｍｍであり、
前記コアの直径は、８ｍｍである
ことを特徴とする請求項８に記載のトレーニングボール。
【請求項１０】
前記球体に、一部が前記球体から突出する視認用の視認用ピン、及び一部が前記球体から突出し前記球体を地面に固定するための固定用ピンを設け、
前記視認用ピンと前記固定用ピンとは前記球体の中心を挟んで両側に同軸上で且つ前記球体の回転軸上に配置されている
ことを特徴とする請求項９に記載のトレーニングボール。
【請求項１１】
前記視認用ピンの太さは、１〜１．５ｍｍであり、
前記視認用ピンは、前記球体への埋め込み部分が２ｃｍ、前記球体から突出する露出部分が２ｃｍであり、
前記固定用ピンの太さは、１．５ｍｍであり、
前記固定用ピンは、前記球体への埋め込み部分が１．５ｃｍ、前記球体から突出する露出部分が１ｃｍである
ことを特徴とする請求項１０に記載のトレーニングボール。
【請求項１２】
前記コアの表面は、ＰＣＣＳ色相環において、色相番号２〜７で着色されていることを特徴とする請求項６〜請求項１１のいずれか１項に記載のトレーニングボール。
【請求項１３】
長軸を回転軸として得られる透過可能な回転楕円体の中心に、前記回転楕円体の外部から視認可能な球状のコアを設け、
前記コアの外径を、前記回転楕円体の短軸の１／３以下に設定したことを特徴とするトレーニングボール。
【請求項１４】
長軸を回転軸として得られる回転楕円体の中心に、前記回転楕円体よりも質量の重い球状の錘を設け、
前記錘の外径を、前記回転楕円体の短軸の１／２以下に設定したことを特徴とするトレーニングボール。
【請求項１５】
球体の中心に、球状のコアを設けたトレーニングボールの製造方法であって、
前記球体を半分に分割して２つの半円体を製造する工程と、
前記半円体同士の合わせ面の径方向中央に、前記コアを配置するための凹部を形成する工程と、
前記凹部に前記コアを収納し、前記半円体の合わせ面同士を接合する工程と、
合わさった２つの前記半円体の前記合わせ面の外周面を磨き、前記合わせ面の外周面を透明色のコーティング材により被覆する工程と、
を有することを特徴とするトレーニングボールの製造方法。
【手続補正２】
【補正対象書類名】明細書
【補正対象項目名】００１４
【補正方法】変更
【補正の内容】
【００１４】
本発明に係るトレーニングボールにおいて、前記球体の直径は、４２．６７ｍｍ〜４２．８ｍｍであり、前記コアの直径は、８ｍｍであってもよい。
本発明に係るトレーニングボールは、前記球体に、一部が前記球体から突出する視認用の視認用ピン、及び一部が前記球体から突出し前記球体を地面に固定するための固定用ピンを設け、前記視認用ピンと前記固定用ピンとは前記球体の中心を挟んで両側に同軸上で且つ前記球体の回転軸上に配置されていてもよい。
本発明に係るトレーニングボールにおいて、前記視認用ピンの太さは、１〜１．５ｍｍであり、前記視認用ピンは、前記球体への埋め込み部分が２ｃｍ、前記球体から突出する露出部分が２ｃｍであり、前記固定用ピンの太さは、１．５ｍｍであり、前記固定用ピンは、前記球体への埋め込み部分が１．５ｃｍ、前記球体から突出する露出部分が１ｃｍであってもよい。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
複数のリーフレットウィンドウを画定し、かつ円柱の形状を画定する壁、及びリーフレットフレームが異なる直径間で圧縮及び拡張されることを許容する開口部の概ね開放されたパターンを有するリーフレットフレーム、
概ね管状を画定する壁、及び外方フレームが異なる直径間で圧縮及び拡張されることを許容する開口部の概ね開放されたパターンを有する外方フレーム、ここで、前記リーフレットフレームは、前記リーフレットフレームと前記外方フレームが拡張状態にあるときに前記リーフレットフレームと前記外方フレームの壁が並ぶように、前記外方フレーム内に入れ子式で配置される、及び
前記リーフレットフレームの前記複数のリーフレットウィンドウから延伸する複数のリーフレット、
を備える経カテーテル弁。
【請求項２】
前記リーフレットフレームが、前記外方フレームに係合して連結に影響する係合部材を備え、伸縮する様式において、前記リーフレットフレームが前記外方フレーム内に入れ子式で配置されている、請求項１に記載の経カテーテル弁。
【請求項３】
前記係合部材が、材料のループにより形成される、請求項２に記載の経カテーテル弁。
【請求項４】
１又は複数のリーフレット、
直径を有し、かつ前記１又は複数のリーフレットを作動できるように支持する内方フレーム、
前記内方フレームの直径よりも大きい直径を有する外方フレーム、
前記内方フレームと前記外方フレームとを連結するブリッジ部
を備える人工弁であって、前記ブリッジ部は、前記外方フレームの近位端において円周方向に第１の折り畳み部を画定し、かつ、前記内方フレームの遠位端において第２の折り畳み部を画定するように、伸縮する様式において、前記内方フレームが前記外方フレーム内に入れ子式で配置される、人工弁。
【請求項５】
前記ブリッジ部が、前記外方フレームに入れ子式に反転される、請求項４に記載の人工弁。
【請求項６】
前記ブリッジ部が、フィルム材料のシリンダを含む、請求項４に記載の人工弁。
【請求項７】
前記材料のシリンダが、前記外方フレームの外表面、前記外方フレームの近位端、前記内方フレームの内表面、及び前記内方フレームの遠位端にわたって延伸する、請求項６に記載の人工弁。
【請求項８】
複数のリーフレットウィンドウを画定し、かつ直円柱の形状を画定する壁を有するリーフレットフレーム、
直円柱の形状を画定する壁を有する壁を有する外方フレーム、ここで、前記リーフレットフレームは、前記リーフレットフレームと前記外方フレームの壁が平行になるように固定された関係において、前記外方フレーム内に少なくとも部分的に入れ子式に配置されている、及び
前記リーフレットフレームの前記複数のリーフレットウィンドウから延伸する複数のリーフレット、
を備える経カテーテル弁。
【請求項９】
前記リーフレットフレームの壁は、前記リーフレットフレームが異なる直径間で圧縮及び拡張されることを許容する開口部の概ね開放されたパターンを画定する、請求項８に記載の経カテーテル弁。
【請求項１０】
前記外方フレームの壁は、前記外方フレームが異なる直径間で圧縮及び拡張されることを許容する開口部の概ね開放されたパターンを画定する、請求項８に記載の経カテーテル弁。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
有利状態へ制御されるか否かを所定表示を行うことによって示唆する示唆演出を実行する示唆演出実行手段と、
前記示唆演出における演出状態を、特定表示の表示態様を変化させることによって報知する報知手段と、
を備え、
前記報知手段は、所定表示の表示態様に対応することなく特定表示の表示態様を変化させる第１変化パターンと、所定表示の表示態様に対応して表示態様を変化させる第２変化パターンと、の少なくとも一方で、特定表示の表示態様を変化させることによって前記示唆演出における演出状態を報知し、
前記第２変化パターンにおいて、所定表示を特定表示に作用させる遊技機。
【手続補正２】
【補正対象書類名】明細書
【補正対象項目名】０００７
【補正方法】変更
【補正の内容】
【０００７】
（１）遊技を行うことが可能な遊技機（例えば、パチンコ遊技機１、スロットマシン等）であって、
有利状態（例えば、大当り、突確、ＡＲＴ（ＡＴ）、ボーナス等）へ制御されるか否かを所定表示（例えば、バトル等）を行うことによって示唆する示唆演出（例えば、バトル演出等）を実行する示唆演出実行手段（例えば、演出制御基板等）と、
前記示唆演出における演出状態（例えば、味方が優勢か否か等）を、特定表示（例えば、ゲージＧ等）の表示態様を変化（例えば、体力バーを減少等）させることによって報知する報知手段（例えば、演出制御基板等）と、
を備え、
前記報知手段は、所定表示の表示態様（例えば、弱攻撃、中攻撃発生時のバトル等）に対応することなく特定表示の表示態様を変化させる第１変化パターンと、所定表示の表示態様（例えば、強攻撃発生時のバトル等）に対応して表示態様を変化させる第２変化パターンと、の少なくとも一方で、特定表示の表示態様を変化させることによって前記示唆演出における演出状態を報知し、
前記第２変化パターンにおいて、所定表示を特定表示に作用させる遊技機。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
互いに内容の異なる複数種類の所定表示を行うことが可能な所定表示手段と、
未だ開始されていない可変表示について先読み判定を行う先読み判定手段と、
前記所定表示のいずれかに関連する演出を実行する演出実行手段と、を備え、
前記演出実行手段は、
前記複数種類の所定表示のいずれかの表示態様を変化させることによって、いずれの所定表示に関連した演出が実行されるかを示唆する示唆演出を実行可能であり、
前記示唆演出が実行されるときに、前記所定表示の表示態様の変化に対応する表示を前記所定表示以外の表示において実行する、
ことを特徴とする遊技機。
【手続補正２】
【補正対象書類名】明細書
【補正対象項目名】０００６
【補正方法】変更
【補正の内容】
【０００６】
（１）本発明の遊技機は、遊技を行うことが可能な遊技機（たとえば、パチンコ遊技機１等）であって、  
互いに内容の異なる複数種類の所定表示（たとえば、第１演出結果画像ＰＨ１〜第３演出結果画像ＰＨ３等）を行うことが可能な所定表示手段（たとえば、演出制御用ＣＰＵ１０１等）と、
未だ開始されていない可変表示について先読み判定を行う先読み判定手段（たとえば、演出制御用ＣＰＵ１０１等）と、
前記所定表示のいずれかに関連する演出（たとえば、メインキャラクタＭＣと敵キャラクタＥＣがバトルを行うバトル演出等）を実行する演出実行手段（たとえば、演出制御用ＣＰＵ１０１等）と、を備え、
前記演出実行手段は、  
前記複数種類の所定表示のいずれかの表示態様を変化させることによって、いずれの所定表示に関連した演出が実行されるかを示唆する示唆演出（たとえば、第１演出結果画像ＰＨ１〜第３演出結果画像ＰＨ３がそれぞれ第１エフェクトＥＦ１〜第３エフェクトＥＦ３に囲まれる演出等）を実行可能であり、
前記示唆演出が実行されるときに、前記所定表示の表示態様の変化に対応する表示を前記所定表示以外の表示（たとえば、第１演出結果画像ＰＨ１〜第３演出結果画像ＰＨ３がそれぞれ第１エフェクトＥＦ１〜第３エフェクトＥＦ３に囲まれる演出以外に、演出表示装置９の内側における第１画面エフェクトＳＥ１〜第３画面エフェクトＳＥ３のいずれかの表示等）において実行する、 
ことを特徴とする。